(57)【特許請求の範囲】
【請求項１】
本体前面に、文字あるいは図形を表示する表示部を備えた空気調和機において、
前記表示部は、透明材からなり前面に意匠層が設けられ、裏面に複数の係止爪と位置合わせ用突起とが設けられた表示板と、枠体状に形成され前記表示板を装着する光透過窓を備えた表示パネルと、前面に光を通過させる光通過孔を複数備えるとともに位置合わせ部を形成し、前記光通過孔の後側に、前記光通過孔に対応した複数の光源を搭載した基板モジュールを収納した基板ホルダとからなり、
前記表示板を前記係止爪により前記表示パネルに装着して前記表示部の表示パネル組を構成し、同表示パネル組を、前記表示板の裏面に設けられた位置合わせ用突起を前記位置合わせ部に当接させて位置合わせした後、前記基板ホルダに組み付けてなることを特徴とする空気調和機。
【発明の詳細な説明】
【技術分野】
【０００１】
本発明は、空気調和機に関わり、より詳細には表示部の構成に関するものである。
【背景技術】
【０００２】
空気調和機は、例えば、フロントパネルの下部一側に、運転状態等を表示する表示部を設けている。同表示部は透明シートの裏面に、表示すべき文字や図形等の印刷を施した意匠層を設け、透明シートの裏面側に光源となるＬＥＤを設けており、同ＬＥＤから発せられた光を多数の印刷箇所の中で表示したい印刷部位のみを通過させて運転状態等を筐体外に表示するようになっている（特許文献１参照）。
【０００３】
しかしながら、透明シートの裏面に、表示すべき文字や図形等を構成する多層の印刷を施しているため、ＬＥＤから発せられ意匠層を通過した光は、透明シートを通過する際、拡散現象を起こし、表示すべき文字や図形等を鮮明に表示することができない。また、透明シートに透明な樹脂を用いるため、不透明な樹脂材からなるフロントパネルと比較して光の反射率、反射量が異なり、表示部とフロントパネルの色彩に微妙な相違が生じてしまい使用者に違和感を感じさせるという不具合があった。
【０００４】
上記した問題に対処するため、透明シートの前面に印刷を施こすと、ＬＥＤと印刷面との距離が大きくなり、ＬＥＤと印刷面との設置位置にズレが生じた場合、ＬＥＤから発せられた光が印刷面に正確に照射されず、表示される文字や図形等の表示が不鮮明となる虞があった。
【先行技術文献】
【特許文献】
【０００５】
【特許文献１】特開２００６−９１６０２号（４頁、図２）
【発明の概要】
【発明が解決しようとする課題】
【０００６】
本発明は、上記問題点に鑑み、表示部を構成する透明シートあるいは透明な表示板の前面に、多層の印刷による意匠層を設けても、ＬＥＤから発せられた光が的確に表示すべき文字や図形等を通過するようにして、表示すべき文字や図形等を鮮明に表示することができる表示部を備えた空気調和機を提供することを目的とする。
【課題を解決するための手段】
【０００７】
本発明は、上記課題を解決するため、本体前面に、文字あるいは図形を表示する表示部を備えた空気調和機において、
本体前面に、文字あるいは図形を表示する表示部を備えた空気調和機において、
前記表示部は、透明材からなり前面に意匠層が設けられ、裏面に複数の係止爪と位置合わせ用突起とが設けられた表示板と、枠体状に形成され前記表示板を装着する光透過窓を備えた表示パネルと、前面に光を通過させる光通過孔を複数備えるとともに位置合わせ部を形成し、前記光通過孔の後側に、前記光通過孔に対応した複数の光源を搭載した基板モジュールを収納した基板ホルダとからなり、
前記表示板を前記係止爪により前記表示パネルに装着して前記表示部の表示パネル組を構成し、同表示パネル組を、前記表示板の裏面に設けられた位置合わせ用突起を前記位置合わせ部に当接させて位置合わせした後、前記基板ホルダに組み付けてなる構成となっている。
【発明の効果】
【０００８】
本発明によれば、意匠層を前面に設けた表示板と、同表示板を装着した表示パネルが位置合わせ用突起により左右方向及び上下方向において位置合わせを行なった後、複数の光源を備えた基板ホルダの適正な位置に組み付けられることにより、表示板の前面に意匠層を設けても、光源からの光が意匠層の表示箇所を正確に通過することになり、表示部での表示を鮮明に行うことができる。
【図面の簡単な説明】
【０００９】
【図１】本発明による空気調和機を示す外観斜視図である。
【図２】本発明による空気調和機を示す側断面図である。
【図３】本発明による空気調和機の内部構成を示す外観斜視図である。
【図４】本発明による空気調和機に設けられた表示部の構成を示す分解斜視図である。
【図５】本発明による表示部の表示板と、表示パネルの構成を示す斜視図である。
【発明を実施するための形態】
【００１０】
以下、本発明の実施の形態を、添付図面に基づいた実施例として詳細に説明する。
【実施例１】
【００１１】
本発明による空気調和機は、図１の外観斜視図及び図２の側断面図で示すように、前面パネル１ａと左側パネル１ｂ及び右側パネル１ｃとから構成された本体１の前面に開閉可能なオープンパネル２を備えている。本体１の上面には上面吸込口３を備え、オープンパネル２の裏面側となる前面パネル１ａには格子状に形成された前面吸込口４を備えており、前面パネル１ａの下部には、複数の左右風向板８と上下風向板９とを備えた吹出口５が備えられている。上下風向板９は運転停止時、塵埃等の侵入を防ぐため、吹出口５を閉鎖するようになっており、前面一側には、室内温度及び運転状態等を表示する表示部１０が右側パネル１ｃに設けられている。
【００１２】
上面吸込口３及び前面吸込口４と吹出口５とを結ぶ空気流路には、塵埃を捕集する図示しないフィルタが備えられるとともに、並設された多数のフィンと、同フィンを直交するように蛇行状に配設された伝熱管とからなり、前面上部熱交換器６ａと前面下部熱交換器６ｂと後面上部熱交換器６ｃとで逆Ｖ字状に形成された熱交換器６が備えられ、また、同熱交換器６に囲まれるように送風ファン７が備えられている。
【００１３】
本体１内部には、図３で示すように、上記した前面上部熱交換器６ａと前面下部熱交換器６ｂが前面側に備えられ、右側パネル１ｃの裏面には電源基板及び制御基板等を収納した電装品箱１１が備えられている。表示部１０を構成する後述する基板ホルダ１０ｂは、内蔵する基板モジュール１７を制御基板と配線接続し、電装品箱１１の前面下部に取付けられており、右側パネル１ｃの前面下部に取付けられた後述する表示パネル組１０ａが組付けられて表示部１０となり、複数のＬＥＤ素子の発光により室内温度及び運転状態等を表示するようになっている。
【００１４】
次に、表示部１０の構成について説明する。同表示部１０は図４の分解斜視図で示すように、
表示パネル組１０ａと基板ホルダ１０ｂと、同基板ホルダ１０ｂ内に収納される基板モジュール１７とからなり、表示パネル組１０ａは、多数の印刷を施した意匠層１２ａを備えた意匠プレート１２と、透明材からなる表示板１３と、同表示板１３が組付けられる表示パネル１４とから構成され、基板ホルダ１０ｂは、樹脂材からなる基板ホルダ前面板１５と、同基板ホルダ前面板１５に被着される基板ホルダ後面板１６とから構成されている。また、基板モジュール１７は表示板１３に向け発光する後述するＬＥＤ素子を搭載している。上記したように、表示パネル組１０ａは右側パネル１ｃの前面下部に取付けられるようになっており、基板ホルダ１０ｂは電装品箱１１の前面下部に取付けられるようになっており、本体１に右側パネル１ｃを取付ける際、表示パネル組１０ａは基板ホルダ１０ｂに組み付けられるようになっている。
【００１５】
意匠プレート１２は、図示はしていないが、前面側に配置されたＰＥＴ（ポリエチレンテレフタレート）シートと、後面側に配置されたバインダ層との間に、印刷文字及び印刷数字を施した印刷層と、色彩が異なる複数の色彩層とを交互に積層して意匠層１２ａを形成している。同意匠プレート１２にＬＥＤ素子からの光が後面から出射されると、出射された部位に対応する印刷文字及び印刷数字が高輝度で表示板１３に表示されるようになっている。
【００１６】
透明な表示板１３の前面には意匠プレート１２がインモールド成型により一体となって設けられるようになっている。印刷層及び色彩層を積層した意匠層１２ａを備えた意匠プレート１２を表示板１３の前面に一体に設けることにより、オープンパネル２あるいは本体１の色彩と、表示板１３の色彩とを一致させることができ、使用者に対し違和感を与えることがない。尚、本発明では、表示板１３の前面に意匠層１２ａをインモールド成型により一体に設けているが、これに限定されるものではなく、表示板１３の前面に印刷処理により意匠層を設けるようにしても良い。
【００１７】
基板ホルダ前面板１５は、平板状に形成された基部１５ａと、同基部１５ａから段差状に突設された光源部１５ｂとからなり、基部１５ａと光源部１５ｂとの間には、段差を構成する上壁１５ｅと左右の中間壁１５ｆ及び左右の下壁１５ｇとが形成され、これらにより光源部１５ｂは正面視で台形状に突設されており、また、光源部１５の下端には、斜面となった下面壁１５ｈが形成されている。また、中間壁１５ｆと下壁１５ｇとが接する左右の角部には、表示板１３の裏面に形成された後述する左右一対の係止爪１４ｃが当接する位置合わせ部１５ｊが形成されている。
【００１８】
光源部１５ｂは上部に、後述するセブンセグメント用ＬＥＤ素子１８ａからの光を通過させる前後に貫通した複数の光通過孔１５ｃを穿設し、同光通過孔１５ｃの周辺に、後述する文字表示用ＬＥＤ素子１８ｂからの光を通過させる前後に貫通した複数の光通過孔１５ｄを穿設している。
基板ホルダ前面板１５に被着される基板ホルダ後面板１６には、複数の電子部品を搭載した基板モジュール１７が収納される基板モジュール収納部１６ａが形成されている。
【００１９】
基板ホルダ前面板１５と基板ホルダ後面板１６とからなる基板ホルダ１０ｂに収納される基板モジュール１７は、裏面に、図示しない複数の電子部品を搭載するとともに、前面中央部に複数のセブンセグメント用ＬＥＤ素子１８ａを搭載し、前面下部に複数の文字表示用ＬＥＤ素子１８ｂを搭載しており、これらセブンセグメント用ＬＥＤ素子１８ａと文字表示用ＬＥＤ素子１８ｂから発せられた光は上記した光通過孔１５ｃ及び光通過孔１５ｄを通過して表示板１３前面に数字や文字を表示させるようになっている。
【００２０】
意匠プレート１２と一体となった、透明材からなる表示板１３は、図５（Ａ）に示すように、表示パネル１４に組付られるようになっている。表示板１３は、図５（Ｂ）に示すように、上下方向に緩い湾曲状に形成され透明性を有した基材１３ａからなり、同基材１３ａの裏面下部には、Ｕ字状に形成された位置合わせ用突起１３ｂが設けられるとともに、裏面上部と裏面略中央部と裏面下部には、左右一対の係止爪１３ｃと係止爪１３ｄと係止爪１３ｆとが設けられ、また、中央部には、基板ホルダ前面板１５との位置合わせを行う台形状に形成された位置合わせ用突起１３ｅが左右一対に設けられている。
【００２１】
表示パネル１４は、図５（Ｂ）に示すように、枠体状に形成された樹脂材からなる基材１４ａからなり、内側には矩形状の光透過窓１４ｂが形成されている。基材１４ａの上部には、表示板１３の係止爪１３ｃに対応する左右一対の横長状の係止孔１４ｄが穿設され、同係止孔１４ｄの上方には、右側パネル１ｃに係止する左右一対のＬ字状に形成された係止爪１４ｃが設けられている。
【００２２】
表示パネル１４の光透過窓１４ｂの左右両端部には、表示板１３の係止爪１３ｄに対応する係止用突起１４ｅが形成され、光透過窓１４ｂの下端縁両端部にも、表示板１３の係止爪１３ｆに対応する係止用突起１４ｆが形成されている。また、同係止用突起１４ｆの内方には、右側パネル１ｃに係止する係止爪１４ｇが設けられている。
【００２３】
表示板１３を表示パネル１４に組み付ける際は、表示板１３の位置合わせ用突起１３ｂを表示パネル１４に形成された光透過窓１４ｂの下端縁及び左右端縁に合わせ、表示板１３の裏面上部に設けられた係止爪１３ｃを表示板ホルダ１４の横長状の係止孔１４ｄに挿入して係止させるとともに、係止爪１３ｄと係止爪１３ｆを光透過窓１４ｂの左右両端部に設けられた係止用突起１４ｅと、下端縁両端部に設けられた係止用突起１４ｆに夫々係止させる。これにより、表示板１３は表示パネル１４の適正な位置に位置合わせを行いながら図５（Ａ）に示すように、容易に組み付けられ表示パネル組１０ａとなる。
【００２４】
また、右側パネル１ｃを前面側から本体１に装着することで、右側パネル１ｃの前面下部に取付けられた表示パネル組１０ａは基板ホルダ１０ｂに取付けられる。この際、表示板１３の裏面に形成された左右一対の位置合わせ用突起１３ｅを、基板ホルダ前面板１５の中間壁１５ｆと下壁１５ｇとが接する左右の角部に形成された位置合わせ部１５ｊに夫々合わせるとともに、表示板１３の係止爪１３ｆの上端面を基板ホルダ前面板１５下端の下面壁１５ｈに突き当てることにより、表示パネル組１０ａは左右方向及び上下方向において適正な位置に位置合わせを行いながら基板ホルダ１０ｂに組み付けられ、また、係止爪１３ｆ前面を下面壁１５ｈに突き当てることにより、基板ホルダ１０ｂに対し上方へのズレを防ぐようになっている。
【００２５】
表示パネル１４に組み付けられた表示板１３と、基板ホルダ１０ｂの基板ホルダ前面板１５とが左右方向及び上下方向において適正な位置に組み付けられることにより、表示板１３の前面に意匠プレート１２を設けても、基板ホルダ前面板１５の光通過孔１５ａに対応して配置されたセブンセグメント用ＬＥＤ素子１８ａからの光及び光通過孔１５ｂに対応して配置された文字表示用ＬＥＤ素子１８ｂからの光が意匠プレート１２の表示箇所を正確に通過することができ、表示部１０での表示をより鮮明に行うことができるようになっている。尚、本発明においては、表示パネル１４を前面パネル１ａとは別体に形成し、右側パネル１ｃに取付けるようにしているが、表示パネル１４を前面パネル１ａと一体に形成しても良い。
【符号の説明】
【００２６】
１  本体
１ａ  前面パネル
１ｂ  左側パネル
１ｃ  右側パネル
２  オープンパネル
３  上面吸込口
４  前面吸込口
５  吹出口
６  熱交換器
７  送風ファン
８  左右風向板
９  上下風向板
１０  表示部
１０ａ  表示パネル組
１０ｂ  基板ホルダ
１１  電装品箱
１２  意匠プレート
１２ａ  意匠層
１３  表示板
１３ａ  基材
１３ｂ  位置合わせ用突起
１３ｃ、１３ｄ、１３ｆ  係止爪
１３ｅ  位置合わせ用突起
１４  表示パネル
１４ａ  基材
１４ｂ  光透過窓
１４ｃ、１４ｄ  係止爪
１４ｅ、１４ｆ  係止用突起
１４ｇ  係止爪
１５  基板ホルダ前面板
１５ａ  基部
１５ｂ  光源部
１５ｃ  光通過孔
１５ｄ  光通過孔
１５ｅ  上壁
１５ｆ  中間壁
１５ｇ  下壁
１５ｈ  下面壁
１５ｊ  位置合わせ部
１６  基板ホルダ後面板
１６ａ  基板モジュール収納部
【図１】
0005686246.tif 000002
【図２】
0005686246.tif 000003
【図３】
0005686246.tif 000004
【図４】
0005686246.tif 000005
【図５】
0005686246.tif 000006